(57)【要約】【課題】特定の画素に負担が集中することを避けることが可能な表示装置を提供することにある。【解決手段】実施形態によれば、発光素子を有する複数の画素が配置された表示パネルと、複数の画素の各々の輝度を規定する画素信号に基づいて複数の画素の各々を発光させることによって表示パネルに画像を表示する表示制御部とを具備する表示装置が提供される。表示制御部は、複数の画素のうちの保護の対象となる画素である第１画素の輝度を低下させ、当該第１画素の周辺に配置されている第２画素の輝度を増加させて画像を表示する。【選択図】図３
2020030311.tif 000002
【特許請求の範囲】
【請求項１】
発光素子を有する複数の画素が配置された表示パネルと、
前記複数の画素の各々の輝度を規定する画素信号に基づいて前記複数の画素の各々を発光させることによって前記表示パネルに画像を表示する表示制御部と
を具備し、
前記表示制御部は、前記複数の画素のうちの保護の対象となる画素である第１画素の輝度を低下させ、当該第１画素の周辺に配置されている第２画素の輝度を増加させて前記画像を表示する
表示装置。
【請求項２】
前記複数の画素の各々は、発光色の異なる発光素子を有する第１〜第３副画素を含み、
前記表示制御部は、前記保護の対象となる画素が前記第１画素に含まれる第１副画素である場合、当該第１副画素の輝度を低下させ、前記第２画素に含まれる第１副画素の輝度を増加させる
請求項１記載の表示装置。
【請求項３】
前記表示制御部は、
前記保護の対象となる副画素が前記第１画素に含まれる第２副画素である場合、当該第１画素の輝度を低下させるとともに前記第２画素の輝度を増加させ、
前記第２画素に含まれる第１及び第３副画素の輝度を低下させるとともに、当該第２画素の周辺に配置されている第３画素に含まれる第１及び第３副画素の輝度を増加させる
請求項２記載の表示装置。
【請求項４】
前記表示制御部は、前記表示パネルに表示される画像が静止画像である場合、前記第１画素の周辺に配置されている複数の画素のうち当該第１画素において表示される色彩と類似する色彩を表示する画素を前記第２画素として決定する請求項３記載の表示装置。
【請求項５】
前記表示制御部は、前記表示パネルに表示される画像が動画像である場合、当該動画像の動きベクトルに基づいて前記第１画素の周辺に配置されている複数の画素の中から前記第２画素を決定する請求項３記載の表示装置。
【請求項６】
前記表示制御部は、前記表示装置を搭載する機器の移動方向に基づいて前記第１画素の周辺に配置されている複数の画素の中から前記第２画素を決定する請求項３記載の表示装置。
【請求項７】
前記第３画素は、前記第２画素に対して前記第１画素の方向に配置されている請求項３記載の表示装置。
【請求項８】
前記第１画素で表示される色彩は、当該第１画素の周辺に配置されている画素で表示される色彩とは異なる請求項３記載の表示装置。
【請求項９】
前記表示パネルの精細度に応じて前記第１画素の輝度を低下させる量が異なる請求項１記載の表示装置。
【請求項１０】
前記表示制御部は、前記第２画素が保護の対象となる画素である場合、前記第２画素の輝度を増加させる量を低減させる請求項１記載の表示装置。
【請求項１１】
前記表示制御部は、前記第２画素が保護の対象となる画素である場合、前記第２画素を変更する請求項１記載の表示装置。
【請求項１２】
前記表示制御部は、前記保護の対象となる画素である第１画素が連続して複数配置されている場合、当該複数の第１画素の一部の輝度を低下させ、当該複数の第１画素の一部の周辺に配置されている第２画素の輝度を増加させて前記画像を表示し、
前記輝度を低下させる前記複数の第１画素の一部は、前記表示パネルに表示される画像毎に変更される
請求項１記載の表示装置。
【発明の詳細な説明】
【技術分野】
【０００１】
本発明の実施形態は、表示装置に関する。
【背景技術】
【０００２】
近年では、例えばスマートフォン等の電子機器に、有機エレクトロルミネッセンス（ＥＬ：Electro Luminescence）素子を有する表示装置（以下、有機ＥＬディスプレイと表記）が採用されている。
【０００３】
有機ＥＬディスプレイを採用した場合には、例えば液晶ディスプレイと比較して、電子機器の薄型化及び軽量化を実現することができるとともに、消費電力を低減することができる点で利点がある。
【０００４】
ここで、有機ＥＬディスプレイには複数の画素が配置されており、当該画素の各々が有する発光素子（有機ＥＬ素子）が自ら発光することによって、当該ディスプレイに画像が表示される。このため、例えば同一の画像が長時間表示されるような場合には、継続的に高輝度で発光する特定の画素（発光素子）に負担が集中することがある。
【０００５】
このように特定の画素に負担が集中した場合、当該画素の劣化が他の画素よりも進行し、焼付きと称される現象が発生することが知られている。
【０００６】
これに対して、例えば有機ＥＬディスプレイに表示される画像（画面）全体をずらすことによって、特定の画素に負担が集中することを避けるような対策が行われる場合がある。
【０００７】
しかしながら、このような対策では、画像を視認するユーザに違和感（不快感）を与える場合があるし、例えば色彩が均一な画像を表示するような場合には効果を得ることができない。
【先行技術文献】
【特許文献】
【０００８】
【特許文献１】特開２００３−２６３１３１号公報
【発明の概要】
【発明が解決しようとする課題】
【０００９】
そこで、本発明の目的は、特定の画素に負担が集中することを避けることが可能な表示装置を提供することにある。
【課題を解決するための手段】
【００１０】
実施形態によれば、発光素子を有する複数の画素が配置された表示パネルと、前記複数の画素の各々の輝度を規定する画素信号に基づいて前記複数の画素の各々を発光させることによって前記表示パネルに画像を表示する表示制御部とを具備する表示装置が提供される。前記表示制御部は、前記複数の画素のうちの保護の対象となる画素である第１画素の輝度を低下させ、当該第１画素の周辺に配置されている第２画素の輝度を増加させて前記画像を表示する。
【図面の簡単な説明】
【００１１】
【図１】実施形態に係る表示装置の構成の一例を概略的に示す斜視図。
【図２】表示装置の回路構成の一例を示す図。
【図３】保護対象画素の輝度を周囲の画素に分配する原理について説明するための図。
【図４】輝度が分配される周囲の画素の配置の別の例を示す図。
【図５】輝度が分配される周囲の画素の配置の更に別の例を示す図。
【図６】表示パネルに画像を表示する際の表示装置の処理手順の一例を示す図。
【図７】第１分配処理の処理手順の一例を示す図。
【図８】第２分配処理の処理手順の一例を示す図。
【図９】画素が孤立点である場合の第２分配処理について具体的に説明するための図。
【図１０】画素が孤立点である場合の第２分配処理について具体的に説明するための図。
【図１１】画素が孤立点でない場合の第２分配処理について具体的に説明するための図。
【図１２】保護対象画素が連続して複数配置されている場合について説明するための図。
【発明を実施するための形態】
【００１２】
以下、図面を参照して、実施形態について説明する。なお、開示はあくまで一例に過ぎず、当業者において、発明の趣旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一または類似した機能を発揮する構成要素には同一の参照符号を付し、重複する詳細な説明を適宜省略することがある。
【００１３】
図１は、本実施形態に係る表示装置１の構成を概略的に示す斜視図である。図１は、第１方向Ｘと、第１方向Ｘに垂直な第２方向Ｙと、第１方向Ｘ及び第２方向Ｙに垂直な第３方向Ｚによって規定される三次元空間を示している。なお、第１方向Ｘ及び第２方向Ｙは、互いに直交しているが、９０°以外の角度で交差していてもよい。また、本実施形態において、第３方向Ｚを上と定義し、第３方向Ｚと反対側の方向を下と定義する。「第１部材の上の第２部材」及び「第１部材の下の第２部材」とした場合、第２部材は、第１部材に接していてもよく、第１部材から離れて位置していてもよい。
【００１４】
以下、本実施形態においては、表示装置１が自発光素子である有機エレクトロルミネッセンス（ＥＬ）素子を有する有機ＥＬ表示装置（有機ＥＬディスプレイ）である場合について主に説明する。
【００１５】
図１に示すように、表示装置１は、表示パネル２、第１回路基板３及び第２回路基板４等を備える。
【００１６】
表示パネル２は、一例では矩形状である。図示した例では、表示パネル２の短辺ＥＸは、第１方向Ｘと平行であり、表示パネル２の長辺ＥＹは、第２方向Ｙと平行である。第３方向Ｚは、表示パネル２の厚さ方向に相当する。表示パネル２の主面は、第１方向Ｘと第２方向Ｙとにより規定されるＸ−Ｙ平面に平行である。表示パネル２は、表示領域ＤＡ、表示領域ＤＡの外側の非表示領域ＮＤＡ、及び端子領域ＭＴを有している。図示した例では、非表示領域ＮＤＡは、表示領域ＤＡを囲んでいる。
【００１７】
表示領域ＤＡは、画像を表示する領域であり、例えばマトリクス状に配置された複数の画素ＰＸを備えている。画素ＰＸは、後述する有機ＥＬ素子と、有機ＥＬ素子を駆動するためのスイッチング素子等を含む。
【００１８】
端子領域ＭＴは、表示パネル２の短辺ＥＸに沿って設けられ、表示パネル２を外部装置等と電気的に接続するための端子を含んでいる。
【００１９】
第１回路基板３は、端子領域ＭＴの上に実装され、表示パネル２と電気的に接続されている。第１回路基板３は、例えばフレキシブルプリント回路基板である。第１回路基板３は、表示パネル２を駆動する駆動ＩＣチップ（以下、パネルドライバと表記）５等を備えている。なお、図示した例では、パネルドライバ５は、第１回路基板３の上に配置されているが、下に配置されていてもよい。第２回路基板４は、例えばフレキシブルプリント回路基板である。第２回路基板４は、第１回路基板３の例えば下方において第１回路基板３と接続されている。
【００２０】
ここで、パネルドライバ５は、例えば第２回路基板４を介して制御基板（図示せず）と接続されている。パネルドライバ５は、例えば制御基板から出力される画像データ（画素信号）に基づいて表示パネル２が有する有機ＥＬ素子を発光させることによって表示パネル２に画像を表示する制御を実行する。
【００２１】
なお、表示パネル２は、斜線を付して示す折り曲げ領域ＢＡを有していてもよい。折り曲げ領域ＢＡは、表示装置１が電子機器等の筐体に収容される際に折り曲げられる領域である。折り曲げ領域ＢＡは、非表示領域ＮＤＡのうち端子領域ＭＴ側に位置している。折り曲げ領域ＢＡが折り曲げられた状態において、第１回路基板３及び第２回路基板４は、表示パネル２と対向するように、表示パネル２の下方に配置される。
【００２２】
図２は、図１に示す表示装置１の回路構成の一例を示す。図２において、表示装置１は、走査線駆動部１１、データ信号線駆動部１２及び電源線駆動部１３を備える。
【００２３】
ここで、表示領域ＤＡには、複数の画素ＰＸがマトリクス状に配置されている。図２においては、便宜的に、複数の画素ＰＸのうちの１つのみを示している。画素ＰＸは、例えば３つの副画素（サブピクセル）ＳＲ、ＳＧ及びＳＢを含む。また、表示領域ＤＡには、マトリクス状に配置された複数の画素ＰＸの行方向に沿って延伸する複数の走査線ＷＳＬと、当該複数の走査線ＷＳＬと平行して延伸する複数の電源線ＤＳＬと、当該複数の画素ＰＸの列方向に沿って延伸する複数のデータ信号線ＳＧＬとが更に配置されている。走査線ＷＳＬの一端は、走査線駆動部１１に接続される。データ信号線ＳＧＬの一端は、データ信号線駆動部１２に接続される。電源線ＤＳＬの一端は、電源線駆動部１３に接続される。
【００２４】
走査線ＷＳＬとデータ信号線ＳＧＬの交点には、例えば赤色で発光する発光素子を有する副画素ＳＲ、緑色で発光する発光素子を有する副画素ＳＧ及び青色で発光する発光素子を有する副画素ＳＢが配置されている。これら副画素ＳＲ、ＳＧ及びＳＢの配置は適宜変更することができる。画素ＰＸには、例えば赤色、緑色及び青色に加えて、白色を発光する発光素子を有する副画素が更に含まれていてもよい。また、画素ＰＸは、１つの副画素を含む構成であってもよい。
【００２５】
ここで、副画素ＳＲの構成について説明する。副画素ＳＲは、選択トランジスタＷＳＴｒ、駆動トランジスタＤＳＴｒ、容量素子Ｃｓ及び発光素子２１等を有する。
【００２６】
発光素子２１は、アノード電極とカソード電極との間に配置された有機ＥＬ層を備える有機ＥＬ発光素子である。
【００２７】
選択トランジスタＷＳＴｒのゲート電極は、走査線ＷＳＬに接続されている。選択トランジスタＷＳＴｒの例えばソース電極は、データ信号線ＳＧＬに接続されている。選択トランジスタＷＳＴｒの例えばドレイン電極は、容量素子Ｃｓの第１の電極及び駆動トランジスタＤＳＴｒのゲート電極に接続されている。
【００２８】
駆動トランジスタＤＳＴｒの例えばソース電極は、容量素子Ｃｓの第２の電極及び発光素子２１のアノード電極に接続されている。駆動トランジスタＤＳＴｒの例えばドレイン電極は、電源線ＤＳＬに接続されている。
【００２９】
選択トランジスタＷＳＴｒは、走査線ＷＳＬに選択信号が供給された場合に、選択信号と同期してデータ信号線ＳＧＬから供給されるデータ信号を、駆動トランジスタＤＳＴｒのゲート電極に供給する。容量素子Ｃｓは、駆動トランジスタＤＳＴｒのゲート電位を保持する。駆動トランジスタＤＳＴｒは、ゲート電位に基づくドレイン電流を発光素子２１に供給する。発光素子２１は、ドレイン電流に対応した輝度で発光する。
【００３０】
ここでは、副画素ＳＲについて説明したが、他の副画素ＳＧ及びＳＢについても同様の構成であるため、当該副画素ＳＧ及びＳＢについての説明は省略する。
【００３１】
本実施形態に係る表示装置１は、上記した複数の画素ＰＸの各々が有する発光素子の輝度（発光）を制御することによって、表示パネル２（表示領域ＤＡ）に画像を表示することができる。
【００３２】
ここで、上記したように有機ＥＬ素子を有する複数の画素ＰＸが配置された表示装置１（有機ＥＬ表示装置）において例えば同一の画像が長時間表示されるような場合には、特定の画素（有機ＥＬ素子）に負担が集中し、焼付きと称される現象が発生する場合がある。
【００３３】
このため、本実施形態に係る表示装置１においては、負担が集中している画素を保護の対象となる画素（以下、保護対象画素と表記）とし、画像を表示する際の当該保護対象画素の輝度を当該保護対象画素の周辺に配置されている画素（以下、単に周囲の画素と表記）に分配することによって、当該保護対象画素の負担を軽減するものとする。
【００３４】
なお、本実施形態において、「保護対象画素の輝度」とは、当該保護対象画素が有する発光素子の発光輝度に相当する。また、「保護対象画素の輝度を分配する」とは、当該保護対象画素の輝度を低下させるとともに、当該保護対象画素の輝度の低下に応じて他の画素の輝度を増加させることをいう。
【００３５】
以下、図３を参照して、本実施形態において保護対象画素の輝度を周囲の画素に分配する原理について説明する。
【００３６】
図３において、格子状に分割された１つのブロックは、１つの画素を表している。ここでは、図３の左側に示す画素１０１が保護対象画素であるものとする。
【００３７】
この場合、画素１０１の輝度は、図３の右側に示すように、周囲の画素に分配される。図３に示す例では、画素１０１の輝度は、当該画素１０１の上側に配置されている画素１０２、当該保護対象画素１０１の右側に配置されている画素１０３、当該保護対象画素１０１の下側に配置されている画素１０４及び当該保護対象画素１０１の左側に配置されている画素１０５に分配されている。
【００３８】
このように画像データに基づいて画像を表示する際に画素１０１の輝度を周囲の画素１０２〜１０５に分配することによって、画素１０１の輝度を低下させることができるため、当該画素１０１の負担を軽減することができる。換言すれば、本実施形態においては、画素１０１が有する発光素子の発光を抑え、当該抑えられた発光量については周囲の画素１０２〜１０５の各々が有する発光素子で補うことによって、画素１０１に負担が集中することを避けることができる。
【００３９】
なお、画素１０１の輝度は、当該画素１０１の輝度が分配された際の画質の低下（色彩の変化）が認識されにくい位置に配置されている画素に分配されることが好ましい。図３に示す例では、画素１０１の輝度が当該画素１０１の上下左右方向に配置されている（隣接する）画素１０２〜１０５に分配されているが、当該画素１０１の輝度は、図４に示すように画素１０１の斜め方向に配置された４つの画素に分配されてもよいし、図５に示すように画素１０１を囲むように配置されている８つの画素に分配されてもよい。また、画素１０１の輝度は、複数の画素に分配されてもよいし、１つの画素に分配されてもよい。なお、多くの輝度が１つの画素に分配（配分）された場合には、色彩の変化が視認されやすくなるため、そのような場合には輝度が複数の画素に分配されるようにすることが好ましい。
【００４０】
ここで、本実施形態における輝度の分配は副画素単位で実行されるものとする。すなわち、本実施形態において、保護対象画素は、例えば画素１０１に含まれる３つの副画素ＳＲ、ＳＧ及びＳＢのうちの１つであるものとする。
【００４１】
具体的には、画素１０１に含まれる副画素ＳＲ（つまり、赤色で発光する発光素子を有する副画素）が保護対象画素であるものとすると、当該保護対象画素の輝度は、当該画素１０１の周囲の画素１０２〜１０５の各々に含まれる副画素ＳＲに分配される。同様に、画素１０１に含まれる副画素ＳＢ（つまり、青色で発光する発光素子を有する副画素）が保護対象画素であるものとすると、当該保護対象画素の輝度は、当該画素１０１の周囲の画素１０２〜１０５の各々に含まれる副画素ＳＢに分配される。
【００４２】
ここで、全ての色彩（赤色、緑色及び青色）の輝度を単純に周囲の画素に分配した場合には、当該輝度を分配した後の画像においてボケ感が生じる。このため、例えば画素１０１に含まれる副画素ＳＧ（つまり、緑色で発光する発光素子を有する副画素）が保護対象画素である場合には、上記した副画素ＳＲまたはＳＢが保護対象画素である場合とは異なる処理が実行されるものとする。
【００４３】
副画素ＳＲ、ＳＧ及びＳＢの各々が保護対象画素である場合における当該副画素の輝度が分配される具体例については後述する。
【００４４】
次に、図６のフローチャートを参照して、表示パネル２に画像を表示する際の表示装置１の処理手順について説明する。なお、図６に示す処理は、上記したパネルドライバ５（表示制御部）によって実行される。
【００４５】
表示パネル２に画像を表示する場合、パネルドライバ５は、上記したように制御基板から画像データを取得する（ステップＳ１）。なお、画像データには、表示パネル２に配置されている複数の画素ＰＸに含まれる副画素の各々の輝度を規定する画素信号が含まれる。パネルドライバ５は、画像データに含まれる画素信号に基づいて複数の画素ＰＸに含まれる副画素の各々を発光させることによって画像を表示する。なお、「副画素を発光させる」とは、当該副画素が有する発光素子を発光させることをいう。
【００４６】
次に、表示パネル２に配置されている複数の画素ＰＸに含まれる副画素の各々について、以下のステップＳ２〜Ｓ５の処理が実行される。以下、ステップＳ２〜Ｓ５の処理の対象となる副画素を対象画素と称する。
【００４７】
ここで、パネルドライバ５においては、表示パネル２に配置されている複数の画素ＰＸに含まれる副画素毎の積算発光（点灯）時間が管理されているものとする。この積算発光時間は、各副画素が有する発光素子の発光時間の積算値である。積算点灯時間は、例えば表示パネル２に画像が表示される度に、当該画像の表示における各副画素の発光時間に基づいて更新されるものとする。なお、積算発光時間は、各副画素が有する発光素子の発光輝度と発光時間とから定義される値であってもよい。
【００４８】
パネルドライバ５は、上記したようにパネルドライバ５において管理されている対象画素の積算発光時間を参照して、当該対象画素が保護対象画素であるか否かを判定する（ステップＳ２）。ステップＳ２においては、例えば積算発光時間が予め定められた値（以下、閾値と表記）以上である場合には対象画素が保護対象画素であると判定され、積算発光時間が閾値未満である場合には対象画素が保護対象画素でないと判定される。
【００４９】
対象画素が保護対象画素であると判定された場合（ステップＳ２のＹＥＳ）、パネルドライバ５は、対象画素が副画素ＳＲまたはＳＢである、すなわち、副画素ＳＲまたはＳＢが保護対象画素であるか否かを判定する（ステップＳ３）。
【００５０】
対象画素が副画素ＳＲまたはＳＢである（つまり、副画素ＳＧでない）と判定された場合（ステップＳ３のＹＥＳ）、パネルドライバ５は、第１分配処理を実行する（ステップＳ４）。この第１分配処理は、対象画素の輝度を周囲の画素に分配するために実行される処理である。第１分配処理においては、対象画素の輝度を低下させ、当該対象画素の周囲の画素の輝度を増加させるように、各画素の輝度が変更される。
【００５１】
一方、対象画素が副画素ＳＲ及びＳＢでない（つまり、副画素ＳＧである）と判定された場合（ステップＳ３のＮＯ）、パネルドライバ５は、第２分配処理を実行する（ステップＳ５）。この第２分配処理は、対象画素の輝度を低下させ、当該対象画素の周囲の画素の輝度を増加させるように各画素の輝度を変更する処理であるが、ステップＳ４の第１分配処理とは異なる処理である。
【００５２】
すなわち、本実施形態においては、副画素ＳＲまたはＳＢが保護対象画素である場合と副画素ＳＧが保護対象画素である場合とで異なる処理が実行される。ステップＳ４において実行される第１分配処理及びステップＳ５において実行される第２分配処理の詳細については後述する。
【００５３】
ステップＳ４またはＳ５の処理が実行されると、表示パネル２に配置されている複数の画素ＰＸに含まれる全ての副画素についてステップＳ２〜Ｓ５の処理が実行されたか否かが判定される（ステップＳ６）。
【００５４】
全ての副画素について処理が実行されていないと判定された場合（ステップＳ６のＮＯ）、ステップＳ２に戻って処理が繰り返される。この場合、処理が実行されていない副画素を対象画素としてステップＳ２以降の処理が実行される。
【００５５】
一方、全ての副画素について処理が実行されたと判定された場合（ステップＳ６のＹＥＳ）、パネルドライバ５は、ステップＳ４における第１分配処理及びステップＳ５における第２分配処理において変更された輝度を規定する画素信号を含む画像データを出力する（ステップＳ７）。
【００５６】
本実施形態においては、ステップＳ７において出力された画像データ、すなわち、保護対象画素の輝度を低下させた画像データに基づいて画像が表示されることによって、当該保護対象画素の負担（つまり、保護対象画素の発光量）を軽減することが可能となる。
【００５７】
次に、図７のフローチャートを参照して、上記した第１分配処理（図６に示すステップＳ４の処理）の処理手順について説明する。なお、第１分配処理は、上記したように副画素ＳＲまたはＳＢが保護対象画素である場合に実行される。図７においては、副画素ＳＲが保護対象画素であるものとし、当該保護対象画素である副画素ＳＲを便宜的に保護対象画素ＳＲと称する。
【００５８】
まず、パネルドライバ５は、保護対象画素ＳＲの輝度の分配先となる画素を決定する（ステップＳ１１）。なお、ステップＳ１１において決定される画素（以下、分配先画素と表記）は、保護対象画素ＳＲを含む画素ＰＸの周囲の画素ＰＸの各々に含まれる副画素ＳＲである。具体的には、パネルドライバ５は、例えば図３〜図５に示すような保護対象画素ＳＲを含む画素ＰＸに対して予め定められたパターンを形成するように配置されている複数の画素ＰＸの各々に含まれる副画素ＳＲを分配先画素として決定する。以下、ステップＳ１１において分配先画素として決定された副画素ＳＲを、便宜的に分配先画素ＳＲと称する。以下の説明においては、ステップＳ１１において複数の分配先画素ＳＲが決定されたものとして説明するが、当該分配先画素ＳＲの数は１つであってもよい。
【００５９】
なお、本実施形態においては保護対象画素ＳＲの輝度が上記したステップＳ１１において決定された分配先画素ＳＲに分配されるが、保護対象画素ＳＲから分配先画素ＳＲに分配される輝度の量（以下、分配量と表記）は、分配係数（分配率）として当該分配先画素ＳＲ毎に予め定められているものとする。本実施形態において、分配係数は、保護対象画素ＳＲの最大輝度に対して分配される輝度の量の割合を示す値である。すなわち、分配先画素ＳＲに対して定められている分配係数が５０％である場合には、保護対象画素ＳＲの輝度のうち、当該保護対象画素ＳＲの最大輝度の５０％に相当する輝度が当該分配先画素ＳＲに分配されることになる。
【００６０】
次に、パネルドライバ５は、ステップＳ１１において決定された分配先画素ＳＲのうちの少なくとも１つが保護対象画素であるか否かを判定する（ステップＳ１２）。ステップＳ１２の処理は、上記した図６に示すステップＳ２の処理と同様であるため、ここではその詳しい説明を省略する。
【００６１】
分配先画素ＳＲのうちの少なくとも１つが保護対象画素であると判定された場合（ステップＳ１２のＹＥＳ）、パネルドライバ５は、当該保護対象画素であると判定された分配先画素ＳＲに対して定められている分配係数を調整する（ステップＳ１３）。ステップＳ１３においては、例えば保護対象画素であると判定された分配先画素ＳＲに対する輝度の分配量を低減させ、当該分配先画素ＳＲ（保護対象画素）以外の分配先画素ＳＲに対する輝度の分配量を増加させるように、各分配先画素ＳＲに対して定められている分配係数を調整（変更）する処理が実行される。
【００６２】
なお、分配先画素ＳＲの全てが保護対象画素でないと判定された場合（ステップＳ１２のＮＯ）、上記したステップＳ１３の処理は実行されない。
【００６３】
次に、パネルドライバ５は、図６に示すステップＳ１において取得された画像データに含まれる画素信号及び上記した分配係数に基づいて、保護対象画素ＳＲ及びステップＳ１１において決定された分配先画素ＳＲの各々の輝度を規定する画素信号の信号値（画素値）を算出する（ステップＳ１４）。
【００６４】
これによれば、画像データに含まれる保護対象画素ＳＲ及び分配先画素ＳＲの各々の輝度を規定する画素信号の信号値は、ステップＳ１４において算出された画素値に変更される。ステップＳ１４において算出された画素値（画素信号）を含む画像データは、上記した図６に示すステップＳ７において出力される。
【００６５】
ここで、上記した図３を参照して、第１分配処理について具体的に説明する。ここでは、保護対象画素ＳＲを含む画素ＰＸが図３の左側に示す画素１０１であるものとして説明する。以下の説明において、各画素の輝度を規定する画素信号の信号値は便宜的に当該画素の画素値と称する。
【００６６】
なお、図６に示すステップＳ１において取得された画像データに含まれる保護対象画素ＳＲを含む画素１０１の画素値は（２５５，２５５，２５５）であるものとする。すなわち、画素１０１に含まれる副画素ＳＲ、ＳＧ及びＳＢの各々の画素値はそれぞれ２５５（最大輝度を規定する画素値）であり、当該画素１０１は白色を表示しているものとする。
【００６７】
また、図６に示すステップＳ１において取得された画像データに含まれる画素１０１以外の複数の画素ＰＸの画素値は（０，０，０）であるものとする。すなわち、画素１０１以外の画素ＰＸに含まれる副画素ＳＲ、ＳＧ及びＳＢの各々の画素値はそれぞれ０であり、当該複数の画素ＰＸは黒色を表示しているものとする。
【００６８】
保護対象画素ＳＲについて図７に示す第１分配処理が実行される場合、ステップＳ１１においては、当該保護対象画素ＳＲを含む画素１０１に対して予め定められたパターンを形成するように配置されている画素の各々に含まれる副画素ＳＲが分配先画素として決定される。ここでは、図３の右側に示す画素１０２〜１０５の各々に含まれる副画素ＳＲが分配先画素として決定されたものとする。
【００６９】
なお、以下の説明において、分配先画素として決定された画素１０２〜１０５の各々に含まれる副画素ＳＲを分配先画素ＳＲ１〜ＳＲ４と称する。
【００７０】
ここで、分配先画素ＳＲ１〜ＳＲ４の全てが保護対象画素でない場合、ステップＳ１４の処理が実行される。このステップＳ１４の処理においては、保護対象画素ＳＲ及び分配先画素ＳＲ１〜ＳＲ４の各々の画素値が算出される。
【００７１】
以下、ステップＳ１４において算出される保護対象画素ＳＲ及び分配先画素ＳＲ１〜ＳＲ４の各々の画素値について具体的に説明する。なお、分配先画素ＳＲ１〜ＳＲ４の各々に対する分配係数としては、それぞれ２５％が予め定められているものとする。
【００７２】
まず、保護対象画素ＳＲの画素値について説明する。上記したように分配先画素ＳＲ１〜ＳＲ４の各々に対する分配係数として２５％が定められている場合、保護対象画素ＳＲの輝度は、分配先画素ＳＲ１〜ＳＲ４の各々に、最大輝度の２５％ずつ分配される。なお、保護対象画素ＳＲの輝度は最大輝度（画素値が２５５）であるため、輝度が分配された後の保護対象画素ＳＲの画素値（つまり、画素１０１に含まれる副画素ＳＲの画素値）としては０が算出される。
【００７３】
上記したように輝度が分配される前の画素１０１の画素値が（２５５，２５５，２５５）であるものとすると、輝度が分配された後の画素１０１の画素値は（０，２５５，２５５）となる。
【００７４】
次に、分配先画素ＳＲ１の画素値について説明する。上記したように分配先画素ＳＲ１に対する分配係数として２５％が定められている場合、保護対象画素値ＳＲの輝度のうち、最大輝度の２５％に相当する輝度が分配先画素ＳＲ１に分配される。
【００７５】
ここで、保護対象画素ＳＲ最大輝度の２５％に相当する輝度を規定する画素値は１３２となる。このため、輝度が分配された後の分配先画素ＳＲ１の画素値（つまり、画素１０２に含まれる副画素ＳＲの画素値）としては１３２が算出される。
【００７６】
上記したように輝度が分配される前の画素１０２の画素値が（０，０，０）であるものとすると、輝度が分配された後の画素１０２の画素値は（１３２，０，０）となる。
【００７７】
ここでは、分配先画素ＳＲ１の画素値について説明したが、他の分配先画素ＳＲ２〜ＳＲ４の画素値についても同様である。すなわち、輝度が分配された後の画素１０３〜１０５の画素値は、画素１０２の画素値と同様に（１３２，０，０）となる。
【００７８】
上記したように保護対象画素ＳＲの輝度が分配先画素ＳＲ１〜ＳＲ４に分配されたものとすると、画素１０１の画素値は（２５５，２５５，２５５）から（０，２５５，２５５）に変更され、画素１０２〜１０５の画素値はそれぞれ（０，０，０）から（１３２，０，０）に変更される。
【００７９】
このような画素値を含む画像データに基づいて画像が表示された場合には、保護対象画素ＳＲ（画素１０１に含まれる副画素ＳＲ）を発光させる必要がないため、当該保護対象画素ＳＲの負担を軽減することができる。また、保護対象画素ＳＲの発光によって確保されるべき輝度は、分配先画素ＳＲ１〜ＳＲ４で補うことができる。
【００８０】
ここでは、分配先画素ＳＲ１〜ＳＲ４の全てが保護対象画素でない（つまり、積算発光時間が閾値未満である）場合について説明したが、分配先画素ＳＲ１〜ＳＲ４のうちの少なくとも１つが保護対象画素である場合には、図７に示すステップＳ１３が実行され、当該保護対象画素に対する分配係数が調整される。
【００８１】
以下、このステップＳ１３の処理の具体例について説明する。ここでは、分配先画素ＳＲ１〜ＳＲ４のうち、分配先画素ＳＲ１が保護対象画素である場合を想定する。
【００８２】
ここで、上記したように分配先画素ＳＲ１〜ＳＲ４の各々に対する分配係数はそれぞれ２５％であるものとする。分配先画素ＳＲ１が保護対象画素である場合、ステップＳ１３においては、例えば当該分配先画素ＳＲ１に対する分配係数を小さくするとともに、当該分配先画素１０２以外の分配画素ＳＲ２〜ＳＲ４に対する分配係数を大きくする処理が実行される。
【００８３】
具体的には、例えば分配先画素ＳＲ１に対する分配係数を２５％から１０％とし、分配先画素ＳＲ２〜ＳＲ４に対する分配係数をそれぞれ２５％から３０％とする。
【００８４】
この場合、輝度が分配された後の分配先画素ＳＲ１の画素値としては、最大輝度の１０％に相当する輝度を規定する画素値が算出される。一方、輝度が分配された後の分配先画素ＳＲ２〜ＳＲ４の画素値としては、最大輝度の３０％に相当する輝度を規定する画素値が算出される。
【００８５】
これによれば、例えば分配先画素ＳＲ１が保護対象画素である場合には、当該分配先画素ＳＲ１〜ＳＲ４の各々に対する分配係数を調整することによって、当該分配先画素ＳＲ１の負担を軽減することができる。
【００８６】
ここでは、保護対象画素である分配先画素ＳＲ１に対する分配係数を小さくするものとして説明したが、当該分配先画素ＳＲ１に対する分配係数は０となるように調整されてもよい。分配先画素ＳＲ１に対する分配係数を２５％から０％とした場合には、他の分配先画素ＳＲ２〜ＳＲ４の各々に対する分配係数を２５％から３３．３％等とすればよい。これによれば、保護対象画素である分配先画素ＳＲ１の負担を更に軽減させることが可能となる。なお、例えば分配先画素ＳＲ１が保護対象画素である場合には、分配先画素ＳＲ１を他の画素（副画素ＳＲ）に変更するようにしても構わない。
【００８７】
ここで、表示パネル２の精細度が高い（つまり、表示パネル２が高精細パネルである）場合には、画素が小さいため、上記したように保護対象画素ＳＲから分配先画素ＳＲ１〜ＳＲ４に対する輝度の分配量が多い場合であっても、色彩の変化が視認されづらい。
【００８８】
一方、表示パネル２の精細度が低い場合には、高精細パネルと比較して画素が大きいため、保護対象画素ＳＲから分配先画素ＳＲ１〜ＳＲ４に対する輝度の分配量が多い場合には、色彩の変化を視認されやすい。
【００８９】
このため、表示パネル２の精細度が低い場合には、保護対象画素ＳＲ１から分配先画素ＳＲ１〜ＳＲ４に対する輝度の分配量を抑えるようにしても構わない。具体的には、表示パネル２の精細度が高い場合には上記したように分配先画素ＳＲ１〜ＳＲ４の各々に対する分配係数を２５％とし、表示パネル２の精細度が低い場合には分配先画素ＳＲ１〜ＳＲ４の各々に対する分配係数を例えば１２．５％等とすることができる。
【００９０】
分配先画素ＳＲ１〜ＳＲ４の各々に対する分配係数を１２．５％とした場合には、保護対象画素ＳＲの輝度のうちの最大輝度の５０％に相当する輝度が分配先画素ＳＲ１〜ＳＲ４の各々に１２．５％ずつ分配される。
【００９１】
ここで、輝度が分配される前の保護対象画素ＳＲの画素値が２５５（輝度１００％）であるものとすると、保護対象画素ＳＲの輝度の５０％を分配先画素ＳＲ１〜ＳＲ４の各々に分配した場合の当該保護対象画素ＳＲの残りの輝度（最大輝度の５０％に相当する輝度）を規定する画素値は１８６となる。このため、分配先画素ＳＲ１〜ＳＲ４の各々に対する分配係数が１２．５％である場合、輝度が分配された後の保護対象画素ＳＲの画素値としては１８６が算出される。
【００９２】
一方、分配先画素ＳＲ１〜ＳＲ４の各々に分配される最大輝度の１２．５％に相当する輝度を規定する画素値は６５となる。このため、分配先画素ＳＲ１〜ＳＲ４の各々に対する分配係数が１２．５％である場合、輝度が分配された後の分配先画素ＳＲ１〜ＳＲ４の各々の画素値としては６５が算出される。
【００９３】
上記したように例えば表示パネル２の精細度が高く、分配先画素ＳＲ１〜ＳＲ４の各々に対する分配係数を２５％とした場合、保護対象画素ＳＲを含む画素１０１の画素値は（０，２５５，２５５）となり、分配先画素ＳＲ１〜ＳＲ４の各々を含む画素１０１〜１０５の画素値はそれぞれ（１３２，０，０）となる。
【００９４】
一方、表示パネル２の精細度が低く、分配先画素ＳＲ１〜ＳＲ４の各々に対する分配係数を１２．５％とした場合、画素１０１の画素値は（１８６，２５５，２５５）となり、画素１０２〜１０５の画素値はそれぞれ（６５，０，０）となる。
【００９５】
この場合、画素１０１に含まれる保護対象画素ＳＲは画素値「１８６」によって規定される輝度（最大輝度の５０％に相当する輝度）で発光する必要があるため、当該保護対象画素ＳＲの負担の軽減率は低下するが、保護対象画素ＳＲから分配先画素ＳＲ１〜ＳＲ４に対する輝度の分配量を抑えることにより、輝度が分配される前後で各画素１０１〜１０５の輝度の差を小さくすることができる。これによれば、表示パネル２の精細度が低い場合であっても輝度の分配による色彩の変化を視認されにくくすることが可能となる。
【００９６】
上記したように本実施形態においては、表示パネル２の精細度に基づいて分配先画素ＳＲ１〜ＳＲ４に対する分配係数（輝度の分配量）が異なるように構成されていてもよい。なお、例えば２５ｃｍの距離から画素が視認されないのは３５０ｐｐｉ程度であるため、表示パネル２の解像度が３５０ｐｐｉ以上である場合には当該表示パネル２の精細度が高い場合の分配係数（例えば、２５％）を採用し、表示パネル２の解像度が３５０ｐｐｉ未満である場合には当該表示パネル２の精細度が低い場合の分配係数（例えば、１２．５％）が採用されるようにしてもよい。なお、表示パネル２の精細度の高低は他の基準によって判別されても構わない。
【００９７】
なお、保護対象画素ＳＲの輝度が高い場合には、当該保護対象画素ＳＲの負担が大きくなる。このため、保護対象画素ＳＲの負担を適切に軽減するために、分配係数が保護対象画素ＳＲの輝度（画素値）によって変更されるようにしても構わない。また、分配係数を変更しない場合であっても、保護対象画素ＳＲの輝度に応じて分配先画素の数を増加させることで当該保護対象画素ＳＲの負担を更に低減させるようにしてもよい。
【００９８】
また、分配先画素ＳＲ１〜ＳＲ４に対して同一の分配係数が定められているものとして説明したが、保護対象画素ＳＲからの輝度の分配による画質の低下を抑制することが可能であれば、保護対象画素ＳＲに対する位置関係に応じて分配先画素ＳＲ１〜ＳＲ４に対して異なる分配係数が定められていてもよい。
【００９９】
ここでは、主に副画素ＳＲが保護対象画素である場合に実行される第１分配処理について説明したが、副画素ＳＢが保護対象画素である場合には、副画素ＳＢが分配先画素として決定される点以外は上記と同様の処理が実行される。このため、副画素ＳＢが保護対象画素である場合に実行される第１分配処理についてはその詳しい説明を省略する。
【０１００】
次に、図８のフローチャートを参照して、上記した第２分配処理（図６に示すステップＳ５の処理）の処理手順について説明する。なお、第２分配処理は、上記したように副画素ＳＧが保護対象画素である場合に実行される。図８においては、保護対象画素である副画素ＳＧを便宜的に保護対象画素ＳＧと称する。
【０１０１】
まず、パネルドライバ５は、図６に示すステップＳ１において取得された画像データに基づいて、保護対象画素ＳＧを含む画素ＰＸが孤立点であるか否かを判定する（ステップＳ２１）。
【０１０２】
なお、本実施形態において「画素ＰＸが孤立点である」とは、当該画素ＰＸで表示される色彩が周囲の画素ＰＸ（当該画素ＰＸに隣接する他の画素ＰＸ）で表示される色彩と異なることをいうものとする。すなわち、上記した図３を用いて説明したように、例えば画素１０１の画素値が（２５５，２５５，２５５）であり、当該画素１０１の周囲の画素ＰＸの画素値が（０，０，０）であるような場合には、画素１０１は孤立点であると判定される。なお、各画素ＰＸで表示される色彩は、画像データに含まれる画素信号（画素値）に基づいて判別可能である。
【０１０３】
ここで、上記したように保護対象画素ＳＧ（つまり、緑色）の輝度を周囲の画素に分配した場合には、当該輝度を分配した後の画像においてボケ感が生じる。このため、本実施形態において、保護対象画素ＳＧを含む画素ＰＸが孤立点である場合には、当該保護対象画素ＳＧを含む画素ＰＸの輝度は周囲の画素ＰＸ（隣接画素ＰＸ）に移動（シフト）するものとする。
【０１０４】
上記したように保護対象画素ＳＧを含む画素ＰＸが孤立点であると判定された場合（ステップＳ２１のＹＥＳ）、パネルドライバ５は、当該保護対象画素ＳＧを含む画素ＰＸの輝度の移動先となる画素を決定する（ステップＳ２２）。なお、ステップＳ２２において決定される画素（以下、移動先画素と表記）は、例えば保護対象画素ＳＧを含む画素ＰＸの周囲の画素ＰＸのうちの１つである。
【０１０５】
ここで、ステップＳ２２における移動先画素の決定処理について具体的に説明する。本実施形態においては、上記した保護対象画素ＳＧを含む画素ＰＸの輝度の移動による影響を緩和するために、以下のように移動先画素を決定するものとする。
【０１０６】
まず、画像データに基づいて表示される画像が静止画像である場合、保護対象画素ＳＧを含む画素ＰＸの周囲の画素ＰＸのうち、当該画素ＰＸと色彩が類似する画素ＰＸを移動先画素として決定する。なお、保護対象画素ＳＧを含む画素ＰＸと色彩が類似する画素ＰＸは、画像データに含まれる画素信号（当該画素ＰＸに含まれる各副画素の画素値）に基づいて判別することができる。
【０１０７】
また、画像データに基づいて表示される画像が動画像である場合、保護対象画素ＳＧを含む画素ＰＸの周囲の画素ＰＸのうち、当該画素ＰＸから当該動画像の動きベクトル方向に位置する画素ＰＸを移動先画素として決定する。なお、動画像の動きベクトル方向は、例えば画像データから得ることができる。
【０１０８】
更に、表示装置１を備える電子機器（デバイス）の物理的な動きがある場合は、保護対象画素ＳＧを含む画素ＰＸの周囲の画素ＰＸのうち、当該画素ＰＸから当該動き方向に位置する画素ＰＸを移動先画素として決定する。なお、本実施形態において、物理的な動きがある電子機器としては例えばＶＲ（Virtual Reality）コンテンツを視聴可能なヘッドマウントディスプレイ（ＨＭＤ：Head Mounted Display）等が想定されており、当該電子機器の物理的な動きは、当該電子機器に搭載されている各種センサ（例えば、加速度センサまたはジャイロセンサ等）から得ることができる。
【０１０９】
以下、ステップＳ２２において移動先画素として決定された画素ＰＸを、便宜的に移動先画素ＰＸと称する。
【０１１０】
次に、パネルドライバ５は、ステップＳ２２において決定された移動先画素ＰＸに含まれる副画素ＳＲ、ＳＧまたはＳＢが保護対象画素であるか否かを判定する（ステップＳ２３）。ステップＳ２３の処理は、上記した図６に示すステップＳ２の処理と同様であるため、ここではその詳しい説明を省略する。
【０１１１】
移動先画素ＰＸに含まれる副画素ＳＲ、ＳＧまたはＳＢが保護対象画素であると判定された場合（ステップＳ２３のＹＥＳ）、パネルドライバ５は、ステップＳ２２において決定された移動先画素ＰＸを変更する（ステップＳ２４）。この場合、上記した保護対象画素ＳＧを含む画素ＰＸの周囲の画素ＰＸのうちのステップＳ２２において決定された移動先画素ＰＸ以外の画素ＰＸの中から新たな移動先画素ＰＸが決定される。
【０１１２】
なお、移動先画素ＰＸに含まれる副画素ＳＲ、ＳＧ及びＳＢが保護対象画素でないと判定された場合（ステップＳ２３のＮＯ）、上記したステップＳ２４の処理は実行されない。
【０１１３】
以下の説明において、移動先画素ＰＸとは、ステップＳ２４の処理が実行されていない場合においてはステップＳ２２において決定された移動先画素ＰＸであり、ステップＳ２４の処理が実行された場合においては当該ステップＳ２４において変更された新たな移動先画素ＰＸであるものとする。
【０１１４】
本実施形態において、保護対象画素ＳＧを含む画素ＰＸが孤立点である場合には、当該画素ＰＸに含まれる全ての副画素ＳＲ、ＳＧ及びＳＢの輝度が移動先画素ＰＸに移動される。このため、パネルドライバ５は、図６に示すステップＳ１において取得された画像データに含まれる画素信号に基づいて、移動先画素ＰＸに含まれる副画素ＳＲ、ＳＧ及びＳＢの画素値を算出する（ステップＳ２５）。ステップＳ２５において算出される移動先画素ＰＸに含まれる副画素ＳＲ、ＳＧ及びＳＢの画素値は、輝度が移動される前の移動先画素ＰＸの輝度に保護対象画素ＳＧを含む画素ＰＸの輝度が加算された輝度を規定する画素値に相当する。
【０１１５】
これによれば、画像データに含まれる移動先画素ＰＸの画素値は、ステップＳ２５において算出された画素値に変更される。
【０１１６】
ここで、保護対象画素ＳＧを含む画素ＰＸの輝度を移動先画素ＰＸに移動した画像データ（すなわち、ステップＳ２５において算出された画素値を含む画像データ）に基づいて画像を表示した場合には、重心が移動することにより当該画像を視認した際に違和感を生じる場合がある。このため、本実施形態においては、保護対象画素ＳＧを含む画素ＰＸの輝度を移動先画素ＰＸに移動した場合、当該移動先画素ＰＸに含まれる副画素ＳＲ及びＳＧ（つまり、副画素ＳＧ以外の副画素）の輝度を移動元方向に分配（分散）し、重心の移動による影響を緩和するものとする。なお、移動元方向とは、移動先画素ＰＸから保護対象画素ＳＧを含む画素ＰＸ（つまり、移動元画素ＰＸ）の方向をいう。
【０１１７】
そこで、パネルドライバ５は、上記した移動元方向に基づいて、移動先画素ＰＸに含まれる副画素ＳＲ及びＳＢの輝度の分配先となる画素を決定する（ステップＳ２６）。なお、ステップＳ２５において決定される画素（以下、分配先画素と表記）は、移動先画素ＰＸから移動元方向に位置する画素ＰＸの各々に含まれる副画素ＳＲ及びＳＢを含む。
【０１１８】
以下、ステップＳ２５において分配先画素として決定された副画素ＳＲ及びＳＢをそれぞれ分配先画素ＳＲ及びＳＢと称する。分配先画素ＳＲ及びＳＢは、それぞれ複数であるものとして説明するが、１つであってもよい。なお、移動先画素ＰＸに含まれる副画素ＳＲ及びＳＢをそれぞれ分配元画素ＳＲ及びＳＢと称する。
【０１１９】
なお、分配元画素ＳＲから分配先画素ＳＲに対する輝度の分配量は、分配係数として当該分配先画素ＳＲ毎に予め定められているものとする。同様に、分配元画素ＳＢから分配先画素ＳＢへの輝度の分配量は、分配係数として当該分配先画素ＳＢ毎に予め定められているものとする。
【０１２０】
次に、パネルドライバ５は、ステップＳ２６において決定された分配先画素ＳＲまたはＳＢが保護対象画素であるか否かを判定する（ステップＳ２７）。ステップＳ２７の処理は、図６に示すステップＳ２の処理等と同様であるため、ここではその詳しい説明を省略する。
【０１２１】
分配先画素ＳＲまたはＳＢが保護対象画素であると判定された場合（ステップＳ２７のＹＥＳ）、パネルドライバ５は、当該保護対象画素であると判定された分配先画素ＳＲまたはＳＢに対して定められている分配係数を調整する（ステップＳ２８）。
【０１２２】
具体的には、例えば分配先画素ＳＲのうちの少なくとも１つが保護対象画素であると判定された場合、ステップＳ２８においては、当該保護対象画素であると判定された分配先画素ＳＲに対する輝度の分配量を低減させ、当該分配先画素ＳＲ（保護対象画素）以外の分配先画素ＳＲに対する輝度の分配量を増加させるように、各分配先画素ＳＲに対して定められている分配係数を調整（変更）する処理が実行される。同様に、例えば分配先画素ＳＢのうちの少なくとも１つが保護対象画素であると判定された場合、ステップＳ２８においては、当該保護対象画素であると判定された分配先画素ＳＢに対する輝度の分配量を低減させ、当該分配先画素ＳＢ（保護対象画素）以外の分配先画素ＳＢに対する輝度の分配量を増加させるように、各分配先画素ＳＢに対して定められている分配係数を調整（変更）する処理が実行される。
【０１２３】
なお、分配先画素ＳＲ及びＳＢが保護対象画素でないと判定された場合（ステップＳ２７のＮＯ）、上記したステップＳ２８の処理は実行されない。
【０１２４】
次に、パネルドライバ５は、図６に示すステップＳ１において取得された画像データに含まれる画素信号及び上記した分配係数に基づいて、分配元画素ＳＲ、分配先画素ＳＲ、分配元画素ＳＢ及び分配先画素ＳＢの各々の画素値を算出する（ステップＳ２９）。
【０１２５】
これによれば、画像データに含まれる分配元画素ＳＲ、分配先画素ＳＲ、分配元画素ＳＢ及び分配先画素ＳＢの各々の画素値は、ステップＳ２９において算出された画素値に変更される。
【０１２６】
ステップＳ２９において算出された画素値（画像信号）を含む画像データは、上記した図６に示すステップＳ７において出力される。
【０１２７】
ここでは保護対象画素ＳＧを含む画素ＰＸが孤立点である場合について説明したが、ステップＳ２１において保護対象画素ＳＧを含む画素ＰＸが孤立点でないと判定された場合（ステップＳ２１のＮＯ）、ステップＳ２６以降の処理が実行されるものとする。
【０１２８】
なお、「画素ＰＸが孤立点でない」とは、例えば当該画素ＰＸで表示される色彩が当該画素ＰＸの周囲の画素ＰＸで表示される色彩と同様であることをいう。具体的には、画像データに基づいて表示される画像が例えば複数の画素ＰＸの全てで同一の色彩が表示されるベタ画像（画面）等である場合には、保護対象画素ＳＧを含む画素ＰＸは孤立点でないと判定される。
【０１２９】
この場合に実行されるステップＳ２６以降の処理（ステップＳ２６〜Ｓ２９の処理）は、図７に示すステップＳ１１〜Ｓ１４の処理と同様の処理である。すなわち、保護対象画素ＳＧを含む画素ＰＸが孤立点でない場合、当該保護対象画素ＳＧの輝度は、当該保護対象画素ＳＧを含む画素ＰＸの周囲の画素ＰＸの各々に含まれる副画素ＳＧに分配される。
【０１３０】
上記したように図８に示す第２分配処理によれば、保護対象画素ＳＧを含む画素ＰＸが孤立点である場合には当該画素ＰＸの輝度を移動先画素ＰＸに移動する処理が実行され、保護対象画素ＳＧを含む画素ＰＸが孤立点でない場合には当該画素ＰＸに含まれる保護対象画素ＳＧの輝度を分配する処理が実行される。
【０１３１】
以下、第２分配処理について具体的に説明する。ここでは、保護対象画素ＳＧを含む画素ＰＸが孤立点である場合と当該保護対象画素ＳＧを含む画素ＰＸが孤立点でない場合とに分けて説明する。
【０１３２】
まず、図９及び図１０を参照して、保護対象画素ＳＧを含む画素ＰＸが孤立点である場合について説明する。ここでは、保護対象画素ＳＧを含む画素ＰＸが図９の左側に示す画素２０１であるものとして説明する。
【０１３３】
なお、図６に示すステップＳ１において取得された画像データに含まれる保護対象画素ＳＧを含む画素２０１の画素値は（２５５，２５５，２５５）であるものとする。すなわち、画素２０１に含まれる副画素ＳＲ、ＳＧ及びＳＢの各々の画素値はそれぞれ２５５であり、当該画素２０１は白色を表示しているものとする。
【０１３４】
また、図６に示すステップＳ１において取得された画像データに含まれる画素２０１以外の複数の画素ＰＸの画素値は（０，０，０）であるものとする。すなわち、画素２０１以外の画素ＰＸに含まれる副画素ＳＲ、ＳＧ及びＳＳＢの各々の画素値はそれぞれ０であり、当該複数の画素ＰＸは黒色を表示しているものとする。
【０１３５】
すなわち、図９の左側において、保護対象画素ＳＧを含む画素２０１は、当該画素２０１の周囲の画素ＰＸと色彩が異なる。このため、図８に示すステップＳ２１においては、画素２０１は孤立点であると判定される。
【０１３６】
次に、ステップＳ２２において、画素２０１の輝度の移動先となる画素（移動先画素）が決定される。ここでは、図９の右側に示す画素２０２が移動先画素（以下、移動先画素２０２と表記）として決定されたものとする。図９に示す例では、移動先画素２０２は、保護対象画素ＳＧを含む画素２０１の右上に位置する画素ＰＸである。なお、移動先画素の決定処理の詳細については、図８において説明した通りであるため、ここではその詳しい説明を省略する。
【０１３７】
このように決定された移動先画素２０２に含まれる副画素ＳＲ、ＳＧ及びＳＢが保護対象画素でない場合、保護対象画素ＳＧを含む画素２０１の輝度は、移動先画素２０２に移動される。この場合、画素２０１の画素値は上記した（２５５，２５５，２５５）から、（０，０，０）に変更される。
【０１３８】
一方、移動先画素２０２の画素値は（０，０，０）であるところ、上記した画素２０１の輝度が移動されることによって、図８に示すステップＳ２５においては、移動先画素２０２の画素値として（２５５，２５５，２５５）が算出される。
【０１３９】
ここでは、移動先画素２０２に含まれる副画素ＳＲ、ＳＧ及びＳＢが保護対象画素でないものとして説明したが、当該副画素ＳＲ、ＳＧまたはＳＢが保護対象画素である場合には、当該移動先画素は画素２０２以外の他の画素ＰＸに変更される。
【０１４０】
なお、移動先画素２０２に含まれる副画素ＳＲ、ＳＧまたはＳＢが保護対象画素である場合には、例えば保護対象画素である副画素に輝度の全てを移動するのではなく、当該輝度の一部のみが移動されてもよいし、当該副画素を含む複数の画素に輝度が分配される（すなわち、分配係数を調整する）ようにしてもよい。
【０１４１】
ここで、図８において説明したように、第２分配処理において保護対象画素ＳＧを含む画素２０１の輝度が移動先画素２０２に移動された場合、当該移動先画素２０２に含まれる副画素ＳＲ及びＳＢの輝度は、移動元方向に分配される。
【０１４２】
以下、図１０を参照して、移動先画素２０２に含まれる副画素ＳＲ及びＳＢの輝度の分配について具体的に説明する。
【０１４３】
図８に示すステップＳ２６においては、上記した移動先画素２０２の移動元方向に位置する画素ＰＸを特定する。
【０１４４】
ここで、移動先画素２０２の移動元方向は、当該移動先画素２０２から見て保護対象画素ＳＧを含む画素２０１側の方向である。この場合、移動先画素２０２から移動元方向側に予め定められたパターンを形成するように配置されている画素ＰＸが特定される。ここでは、図１０の右側に示す画素２０３〜２０５が特定されたものとする。これによれば、画素２０３から２０５の各々に含まれる副画素ＳＲ及びＳＢが分配先画素として決定される。
【０１４５】
なお、以下の説明において、分配先画素として決定された画素２０３〜２０５の各々に含まれる副画素ＳＲを分配先画素ＳＲ１１〜ＳＲ１３と称し、当該画素２０３〜２０５の各々に含まれる副画素ＳＢを分配先画素ＳＢ１１〜ＳＢ１３と称する。また、移動先画素２０２に含まれる副画素ＳＲ及びＳＢはそれぞれ分配元画素ＳＲ及びＳＢと称する。
【０１４６】
上記した分配先画素ＳＲ１１〜ＳＲ１３及び分配先画素ＳＢ１１〜１３の全てが保護対象画素でない場合、ステップＳ２９の処理が実行される。
【０１４７】
このステップＳ２９の処理では、分配元画素ＳＲ、分配先画素ＳＲ１１〜ＳＲ１３、分配元画素ＳＢ及び分配先画素ＳＢ１１〜ＳＢ１３の各々の画素値が算出される。
【０１４８】
まず、ステップＳ２９において算出される分配元画素ＳＲ及び分配先画素ＳＲ１１〜ＳＲ１３の画素値について具体的に説明する。
【０１４９】
ここでは、上記した保護対象画素ＳＧを含む画素２０１の輝度が移動先画素２０２に移動されたことにより、移動先画素２０２の画素値は（２５５，２５５，２５５）となっている。すなわち、分配元画素ＳＲ（つまり、移動先画素２０２に含まれる副画素ＳＲ）の画素値は２５５である。
【０１５０】
また、分配元画素ＳＲの輝度のうち、最大輝度の５０％に相当する輝度が分配先画素ＳＲ１〜ＳＲ３に分配されるものとし、分配先画素ＳＲ１〜ＳＲ３の各々に対する分配係数としてはそれぞれ約１６．７（つまり、５０／３）％が定められているものとする。
【０１５１】
ここで、分配元画素ＳＲの輝度（最大輝度）のうち、最大輝度の５０％に相当する輝度を分配先画素ＳＲ１１〜ＳＲ１３に分配した場合の当該分配元画素ＳＲの残りの輝度（最大輝度の５０％に相当する輝度）を規定する画素値は１８６となる。このため、輝度が分配された後の分配元画素ＳＲの画素値としては１８６が算出される。
【０１５２】
一方、分配先画素ＳＲ１１〜ＳＲ１３にそれぞれ分配される最大輝度の１６．７％に相当する輝度を規定する画素値は１１２となる。このため、輝度が分配された後の分配先画素ＳＲ１１〜ＳＲ１３の画素値としてはそれぞれ１１２が算出される。
【０１５３】
ここでは、分配元画素ＳＲ及び分配先画素ＳＲ１１〜ＳＲ１３の画素値について説明したが、分配元画素ＳＢ及び分配先画素ＳＢ１１〜ＳＢ１３の画素値についても同様である。
【０１５４】
すなわち、分配元画素ＳＢの輝度（最大輝度）のうち、最大輝度の５０％に相当する輝度を分配先画素ＳＢ１１〜ＳＢ１３に分配した場合の当該分配元画素ＳＢの残りの輝度（最大輝度の５０％に相当する輝度）を規定する画素値は１８６となる。このため、輝度が分配された後の分配元画素ＳＢの画素値としては１８６が算出される。
【０１５５】
一方、分配先画素ＳＢ１１〜ＳＢ１３にそれぞれ分配される最大輝度の１６．７％に相当する輝度を規定する画素値は１１２となる。このため、輝度が分配された後の分配先画素ＳＢ１１〜ＳＢ１３の画素値としてはそれぞれ１１２が算出される。
【０１５６】
上記したように保護対象画素ＳＧを含む画素２０１の輝度は移動先輝度２０２に移動されているため、当該画素２０１の画素値は（０，０，０）である。また、他の画素２０３〜２０５の画素値は同様に（０，０，０）である。
【０１５７】
このため、上記したステップＳ２９の処理が実行された場合には、移動先画素２０２の画素値は（２５５，２５５，２５５）から（１８６，２５５，１８６）に変更され、画素２０３〜２０５の画素値はそれぞれ（０，０，０）から（１１２，０，１１２）に変更される。
【０１５８】
このような画素値を含む画像データに基づいて画像が表示された場合には、画素２０１に含まれる保護対象画素ＳＧが有する発光素子を発光させる必要がないため、当該保護対象画素ＳＧの負担を軽減することができる。また、保護対象画素ＳＧの発光によって確保されるべき輝度は、移動先画素２０２に含まれる副画素ＳＧで補うことができる。更に、移動先画素２０２に含まれる副画素ＳＲ及び副画素ＳＢの輝度を画素２０３〜２０５の各々に含まれる副画素ＳＲ及び副画素ＳＢに分配することによって、画素２０１の輝度を移動先画素２０２に移動した場合の重心の移動よる影響を緩和することができる。
【０１５９】
ここでは、分配先画素ＳＲ１１〜ＳＲ１３及び分配先画素ＳＢ１１〜ＳＢ１３の全てが保護対象画素でない場合について説明したが、当該分配先画素ＳＲ１１〜ＳＲ１３及び分配先画素ＳＢ１１〜ＳＢ１３のうちの少なくとも１つが保護対象画素である場合には、図８に示すステップＳ２８の処理が実行され、当該保護対象画素等に対する分配係数が調整される。なお、この分配係数の調整の詳細は上記した通りであるため、ここではその詳しい説明を省略する。
【０１６０】
なお、ここでは分配先画素ＳＲ１１〜ＳＲ１３と分配先画素ＳＢ１１〜ＳＢ１３とで同一の分配係数が定められているものとして説明したが、各画素の輝度の移動または分配による画質の低下を抑制することが可能であれば、当該分配先画素ＳＲ１１〜ＳＲ１３と分配先画素ＳＢ１１〜ＳＢ１３とで異なる分配係数が定められていてもよい。また、移動先画素２０２に対する位置関係に応じて分配先画素ＳＲ１１〜ＳＲ１３の各々で異なる分配係数が定められていてもよい。同様に、移動先画素２０２に対する位置関係に応じて分配先画素ＳＢ１１〜ＳＢ１３の各々で異なる分配係数が定められていてもよい。
【０１６１】
次に、図１１を参照して、保護対象画素ＳＧを含む画素ＰＸが孤立点でない場合について説明する。保護対象画素ＳＧを含む画素ＰＸが孤立点でない場合、当該保護対象画素ＳＧの輝度は、当該保護対象画素ＳＧの周囲の画素（副画素ＳＧ）に分配される。ここでは、保護対象画素ＳＧを含む画素ＰＸが図１１の左側に示す画素３０１であるものとして説明する。
【０１６２】
なお、図６に示すステップＳ１において取得された画像データに含まれる保護対象画素ＳＧを含む画素３０１の画素値は（１２８，１２８，１２８）であるものとする。すなわち、画素３０１に含まれる副画素ＳＲ、ＳＧ及びＳＢの各々の画素値はそれぞれ１２８であり、当該画素３０１はグレーを表示しているものとする。
【０１６３】
また、図６に示すステップＳ１において取得された画像データに含まれる画素３０１以外の複数の画素ＰＸの画素値も同様に（１２８，１２８，１２８）であるものとする。すなわち、画素３０１以外の複数の画素ＰＸに含まれる副画素ＳＲ、ＳＧ及びＳＢの各々の画素値はそれぞれ１２８であり、当該複数の画素ＰＸは画素３０１と同様にグレーを表示しているものとする。
【０１６４】
すなわち、ここでは図６に示すステップＳ１において取得された画像データに基づいて表示される画像が全ての画素ＰＸでグレーを表示するベタ画像である場合を想定している。この場合、保護対象画素ＳＧを含む画素３０１は、当該画素３０１の周囲の画素ＰＸと色彩が同一である。このため、図８に示すステップＳ２１においては、画素３０１は孤立点でないと判定される。
【０１６５】
次に、ステップＳ２６において、保護対象画素ＳＧを含む画素３０１に対して予め定められたパターンを形成するように配置されている画素の各々に含まれる副画素ＳＧが分配先画素として決定される。ここでは、図１１の右側に示す画素３０２〜３０５の各々に含まれる副画素ＳＧが分配先画素として決定されたものとする。
【０１６６】
図１１に示す例では、上記した副画素ＳＲが保護対象画素である場合と同様のパターンを形成するように配置されている画素３０２〜３０５の各々に含まれる副画素ＳＧが分配先画素として決定されているが、例えば副画素ＳＲ、ＳＢ及びＳＢ毎に異なるパターンで分配先画素が決定されても構わない。
【０１６７】
なお、以下の説明において、分配先画素として決定された画素３０２〜３０５の各々に含まれる副画素ＳＧを分配先画素ＳＧ１〜４と称する。
【０１６８】
ここで、分配先画素ＳＧ１〜ＳＧ４の全てが保護対象画素でない場合、ステップＳ２９の処理が実行される。このステップＳ２９の処理においては、保護対象画素ＳＧ及び分配先画素ＳＧ１〜ＳＧ４の各々の画素値が算出される。
【０１６９】
以下、ステップＳ２９において算出される保護対象画素ＳＧ及び分配先画素ＳＧ１〜ＳＧ４の各々の画素値について具体的に説明する。なお、分配先画素ＳＧ１〜ＳＧ４の各々に対する分配係数としては、それぞれ２．５％が予め定められているものとする。
【０１７０】
まず、保護対象画素ＳＧの画素値について説明する。上記したように分配先画素ＳＧ１〜ＳＧ４の各々に対する分配係数として２．５％が定められている場合、保護対象画素ＳＧの輝度は、分配先画素ＳＧ１〜ＳＧ４の各々に、最大輝度の２．５％ずつ分配される。なお、保護対象画素ＳＧの画素値は１２８であるが、この保護対象画素ＳＧの輝度は、最大輝度の２１．５％に相当する。すなわち、保護対象画素ＳＧの輝度のうち合計で最大輝度の１０％に相当する輝度が分配先画素ＳＧ１〜ＳＧ４に分配されるため、輝度が分配された後の保護対象画素ＳＲの輝度は、最大輝度の１１．５％に相当する輝度となる。なお、この最大輝度の１１．５％に相当する輝度を規定する画素値は９６となる。このため、輝度が分配された後の保護対象画素ＳＧの画素値（つまり、画素３０１に含まれる副画素ＳＧの画素値）としては９６が算出される。
【０１７１】
上記したように輝度が分配される前の画素３０１の画素値が（１２８，１２８，１２８）であるものとすると、輝度が分配された後の画素３０１の画素値は（１２８，９６，１２８）となる。
【０１７２】
次に、分配先画素ＳＧ１の画素値について説明する。上記したように分配先画素ＳＧ１に対する分配係数として２．５％が定められている場合、保護対象画素ＳＧの輝度のうち、最大輝度の２．５％に相当する輝度が分配先画素ＳＧ１に分配される。
【０１７３】
ここで、輝度が分配される前の分配先画素ＳＧ１の画素値は１２８であるが、当該画素値によって規定される輝度は、上記したように最大輝度の２１．５％に相当する。このため、保護対象画素ＳＧから最大輝度の２．５％に相当する輝度が分配先画素ＳＧ１に分配された場合、輝度が分配された後の分配先画素ＳＧ１の輝度は、最大輝度の２４％（２１．５％＋２．５％）に相当する輝度となる。なお、この最大輝度の２４％に相当する輝度を規定する画素値は１３３となる。このため、輝度が分配された後の分配先画素ＳＧ１の画素値（つまり、画素３０２に含まれる副画素ＳＧの画素値）としては１３３が算出される。
【０１７４】
上記したように輝度が分配される前の画素３０２の画素値が（１２８，１２８，１２８）であるものとすると、輝度が分配された後の画素３０２の画素値は（１２８，１３３，１２８）となる。
【０１７５】
ここでは、分配先画素ＳＧ１の画素値について説明したが、他の分配先画素ＳＧ２〜ＳＧ４の画素値についても同様である。すなわち、輝度が分配された後の画素３０３〜３０５の画素値は、画素３０２と同様に（１２８，１３３，１２８）となる。
【０１７６】
上記したように保護対象画素ＳＧの輝度が分配先画素ＳＧ１〜ＳＧ４に２．５％ずつ分配されたものとすると、画素３０１の画素値は（１２８，１２８，１２８）から（１２８，９６，１２８）に変更され、画素３０２〜３０５の画素値はそれぞれ（１２８，１２８，１２８）から（１２８，１３３、１２８）に変更される。
【０１７７】
このような画素値を含む画像データに基づいて画像が表示された場合には、図６に示すステップＳ１において取得された画像データに基づいて画像を表示する場合と比較して、保護対象画素ＳＧ（画素３０１に含まれる副画素ＳＧ）の発光量を抑制することができるため、当該保護対象画素ＳＧの負担を軽減することができる。また、保護対象画素ＳＧの発光によって確保されるべき輝度は、分配先画素ＳＧ１〜ＳＧ４で補うことができる。
【０１７８】
ここでは、分配先画素ＳＧ１〜ＳＧ４の全てが保護対象画素でない場合について説明したが、分配先画素ＳＧ１〜ＳＧ４のうちの少なくとも１つが保護対象画素である場合には、図８に示すステップＳ２８の処理が実行され、当該保護対象画素等に対する分配係数が調整される。なお、この分配係数の調整の詳細は上記した通りであるため、ここではその詳しい説明を省略する。
【０１７９】
なお、ここでは分配先画素ＳＧ１〜ＳＧ４の各々に対して同一の分配係数が定められているものとして説明したが、保護対象画素ＳＧからの輝度の分配による画質の低下を抑制することが可能であれば、保護対象画素ＳＧに対する位置関係に応じて分配先画素ＳＧ１〜ＳＧ４に対して異なる分配係数が定められていてもよい。
【０１８０】
上記したように本実施形態においては、複数の画素ＰＸのうちの保護対象画素（第１画素）の輝度を低下させ、当該保護対象画素の周辺に配置されている分配先画素（第２画素）の輝度を増加させて画像を表示する。すなわち、本実施形態においては、保護対象画素の輝度を周囲の画素に分配することによって、特定の画素（発光素子）に負担が集中することを避け、当該発光素子の寿命の延長を図ることが可能となる。
【０１８１】
なお、本実施形態においては、例えば保護対象画素が副画素ＳＲである場合には当該副画素ＳＲの輝度を低下させ、当該保護対象画素の周囲の画素ＰＸに含まれる副画素ＳＲの輝度を増加させる。すなわち、本実施形態においては、副画素単位で発光素子の寿命の延長を図ることが可能となる。
【０１８２】
また、本実施形態においては、副画素ＳＧ（第２副画素）が保護対象画素である場合、当該副画素ＳＧを含む画素ＰＸの輝度を低下させるとともに移動先画素ＰＸ（第２画素）の輝度を増加させ、移動先画素ＰＸに含まれる副画素ＳＲ及びＳＢ（第１及び第３副画素）の輝度を低下させるとともに移動先画素ＰＸの周辺に配置されている画素ＰＸ（第２画素）に含まれる副画素ＳＲ及びＳＢの輝度を増加させる。すなわち、本実施形態においては、保護対象画素である副画素ＳＧを含む画素ＰＸの輝度を移動先画素ＰＸに移動し、当該移動先画素ＰＸに含まれる副画素ＳＲ及びＳＢの輝度を分配することにより、全ての色を単純に分配することによってボケ感が生じてしまうことを回避し、画質の低下を抑制することが可能となる。
【０１８３】
なお、本実施形態において、表示パネル２に表示される画像が静止画像である場合、副画素ＳＧを含む画素ＰＸの周辺に配置されている複数の画素ＰＸのうち色彩が類似する画素を移動先画素ＰＸとする。また、表示パネル２に表示される画像が動画像である場合には、当該動画像の動きベクトルに基づいて移動先画素ＰＸが決定される。また、移動先画素ＰＸは、表示装置１を搭載する機器の移動方向に基づいて決定されてもよい。本実施形態においては、このような構成により、各画素の輝度を移動または分配することによる影響を視認されにくくすることができる。
【０１８４】
また、本実施形態において、移動先画素ＰＸに含まれる副画素ＳＲ及びＳＢの輝度は、当該移動先画素ＰＸの移動元方向（つまり、保護対象画素である副画素ＳＧを含む画素ＰＸの方向に配置されている画素ＰＸに含まれる副画素ＳＲ及びＳＢ）に分配される。本実施形態においては、このように移動元方向に輝度を分配（分散）することにより、保護対象画素である副画素ＳＧを含む画素ＰＸの輝度を移動した際の重心の移動による影響を緩和することが可能となる。
【０１８５】
なお、本実施形態において、例えば画像データに基づいて表示される画像がベタ画像のような場合に保護対象画素である副画素ＳＧを含む画素ＰＸの輝度を移動先画素ＰＸに移動した場合には、当該輝度の移動による影響が大きく、色彩の変化が視認されやすい。このため、本実施形態においては、保護対象画素である副画素ＳＧを含む画素ＰＸが孤立点である（つまり、周囲の画素とは色彩が異なる）場合に当該画素ＰＸの輝度を移動先画素ＰＸに移動することにより、色彩の変化を視認されにくくすることが可能となる。
【０１８６】
また、本実施形態において、例えば副画素ＳＲまたはＳＢが保護対象画素である場合には、上記したように表示パネル２の精細度に応じて当該保護対象画素の輝度を低下させる量（つまり、分配量）が異なるようにしてもよい。これによれば、例えば表示パネル２の精細度が高い場合には保護対象画素の負担を軽減させることを優先し、表示パネル２の精細度が低い場合には、輝度の分配量を低減させて、色彩の変化を視認されにくくするようなことが可能となる。
【０１８７】
また、本実施形態においては、輝度の分配先となる画素（分配先画素）が保護対象画素である場合、当該保護対象画素に対する輝度の分配量を低減するようにしてもよいし、当該分配先画素を他の画素に変更するようにしてもよい。このような構成によれば、分配先画素の負担が増加してしまうことを抑制することが可能となる。
【０１８８】
なお、本実施形態においては、１つの保護対象画素の輝度を分配する場合について主に説明したが、連続して配置されている複数の画素ＰＸがそれぞれ保護対象画素を含む、つまり、複数の連続する画素ＰＸの各々に保護対象画素が存在する場合がある。
【０１８９】
このような場合において、同一の画像を表示する際に各保護対象画素の輝度を分配すると、当該複数の連続する画素ＰＸの輝度の低下によって、当該画素ＰＸの部分が線のように視認される場合がある。
【０１９０】
ここで、図１２の左側に示すように、それぞれ保護対象画素を含む複数の画素４０１〜４０３が連続して存在する場合を想定する。この場合、例えば第１フレーム（画像）を表示する際には画素４０１及び４０３に含まれる保護対象画素の輝度を分配し、第１フレームの次の第２フレーム（画像）を表示する際には画素４０２に含まれる保護対象画素の輝度を分配するような構成とすることができる。
【０１９１】
すなわち、それぞれ保護対象画素を含む複数の画素ＰＸが連続して配置されている場合には、当該複数の画素ＰＸ（保護対象画素）の一部の輝度を分配するようにし、当該輝度が分配される複数の画素ＰＸの一部をフレーム毎に変更する構成とすることで、連続する複数の画素ＰＸの輝度が低下してしまうことによる画質の低下を抑制することが可能となる。
【０１９２】
なお、本実施形態においては、表示装置１が発光素子として有機ＥＬ素子を有する有機ＥＬ表示装置であるものとして説明したが、本実施形態は、例えば発光素子として多数のＬＥＤ（Light Emitting Diode）を利用する屋外用の表示装置等に適用されても構わない。
【０１９３】
以下、本実施形態に係る発明を付記する。  
［Ｃ１］  
発光素子を有する複数の画素が配置された表示パネルと、  
前記複数の画素の各々の輝度を規定する画素信号に基づいて前記複数の画素の各々を発光させることによって前記表示パネルに画像を表示する表示制御部と  
を具備し、  
前記表示制御部は、前記複数の画素のうちの保護の対象となる画素である第１画素の輝度を低下させ、当該第１画素の周辺に配置されている第２画素の輝度を増加させて前記画像を表示する  
表示装置。  
［Ｃ２］  
前記複数の画素の各々は、発光色の異なる発光素子を有する第１〜第３副画素を含み、
前記表示制御部は、前記保護の対象となる画素が前記第１画素に含まれる第１副画素である場合、当該第１副画素の輝度を低下させ、前記第２画素に含まれる第１副画素の輝度を増加させる  
［Ｃ１］記載の表示装置。  
［Ｃ３］  
前記表示制御部は、  
前記保護の対象となる副画素が前記第１画素に含まれる第２副画素である場合、当該第１画素の輝度を低下させるとともに前記第２画素の輝度を増加させ、  
前記第２画素に含まれる第１及び第３副画素の輝度を低下させるとともに、当該第２画素の周辺に配置されている第３画素に含まれる第１及び第３副画素の輝度を増加させる  
［Ｃ２］記載の表示装置。
［Ｃ４］  
前記表示制御部は、前記表示パネルに表示される画像が静止画像である場合、前記第１画素の周辺に配置されている複数の画素のうち当該第１画素において表示される色彩と類似する色彩を表示する画素を前記第２画素として決定する［Ｃ３］記載の表示装置。  
［Ｃ５］  
前記表示制御部は、前記表示パネルに表示される画像が動画像である場合、当該動画像の動きベクトルに基づいて前記第１画素の周辺に配置されている複数の画素の中から前記第２画素を決定する［Ｃ３］記載の表示装置。
［Ｃ６］  
前記表示制御部は、前記表示装置を搭載する機器の移動方向に基づいて前記第１画素の周辺に配置されている複数の画素の中から前記第２画素を決定する［Ｃ３］記載の表示装置。  
［Ｃ７］  
前記第３画素は、前記第２画素に対して前記第１画素の方向に配置されている［Ｃ３］記載の表示装置。  
［Ｃ８］  
前記第１画素で表示される色彩は、当該第１画素の周辺に配置されている画素で表示される色彩とは異なる［Ｃ３］記載の表示装置。  
［Ｃ９］  
前記表示パネルの精細度に応じて前記第１画素の輝度を低下させる量が異なる［Ｃ１］記載の表示装置。  
［Ｃ１０］  
前記表示制御部は、前記第２画素が保護の対象となる画素である場合、前記第２画素の輝度を増加させる量を低減させる［Ｃ１］記載の表示装置。  
［Ｃ１１］  
前記表示制御部は、前記第２画素が保護の対象となる画素である場合、前記第２画素を変更する［Ｃ１］記載の表示装置。  
［Ｃ１２］  
前記表示制御部は、前記保護の対象となる画素である第１画素が連続して複数配置されている場合、当該複数の第１画素の一部の輝度を低下させ、当該複数の第１画素の一部の周辺に配置されている第２画素の輝度を増加させて前記画像を表示し、  
前記輝度を低下させる前記複数の第１画素の一部は、前記表示パネルに表示される画像毎に変更される  
［Ｃ１］記載の表示装置。  
［Ｃ１３］  
発光素子を有する複数の画素が配置された表示パネルと、前記複数の画素の各々の輝度を規定する画素信号に基づいて前記複数の画素の各々を発光させることによって前記表示パネルに画像を表示する表示制御部とを備える表示装置が実行する表示方法であって、  
前記複数の画素のうちの第１画素が保護の対象となる画素であるかを判定するステップと、  
前記第１画素が保護の対象となる画素であると判定された場合、前記複数の画素のうちの保護の対象となる画素である第１画素の輝度を低下させ、当該第１画素の周辺に配置されている第２画素の輝度を増加させて前記画像を表示するステップと  
を具備する表示方法。  
［Ｃ１４］  
前記複数の画素の各々は、発光色の異なる発光素子を有する第１〜第３副画素を含み、
前記表示するステップにおいて、前記保護の対象となる画素が前記第１画素に含まれる第１副画素である場合、当該第１副画素の輝度を低下させ、前記第２画素に含まれる第１副画素の輝度を増加させる  
［Ｃ１３］記載の表示方法。
［Ｃ１５］  
前記表示するステップは、
前記保護の対象となる付宇久画素が前記第１画素に含まれる第２副画素である場合、当該第１画素の輝度を低下させるとともに前記第２画素の輝度を増加させ、  
前記第２画素に含まれる第１及び第３副画素の輝度を低下させるとともに、当該第２画素の周辺に配置されている第３画素に含まれる第１及び第３副画素の輝度を増加させる  
［Ｃ１４］記載の表示方法。  
［Ｃ１６］  
前記表示するステップは、前記表示パネルに表示される画像が静止画像である場合、前記第１画素の周辺に配置されている複数の画素のうち当該第１画素において表示される色彩と類似する色彩を表示する画素を前記第２画素として決定するステップを含む［Ｃ１５］記載の表示方法。  
［Ｃ１７］  
前記表示するステップは、前記表示パネルに表示される画像が動画像である場合、当該動画像の動きベクトルに基づいて前記第１画素の周辺に配置されている複数の画素の中から前記第２画素を決定するステップを含む［Ｃ１５］記載の表示方法。  
［Ｃ１８］  
前記表示するステップは、前記表示装置を搭載する機器の移動方向に基づいて前記第１画素の周辺に配置されている複数の画素の中から前記第２画素を決定するステップを含む［Ｃ１５］記載の表示方法。  
［Ｃ１９］  
前記第３画素は、前記第２画素に対して前記第１画素の方向に配置されている［Ｃ１５］記載の表示方法。  
［Ｃ２０］  
前記第１画素で表示される色彩は、当該第１画素の周辺に配置されている画素で表示される色彩とは異なる［Ｃ１５］記載の表示方法。  
［Ｃ２１］  
前記表示パネルの精細度に応じて前記第１画素の輝度を低下させる量が異なる［Ｃ１３］記載の表示方法。  
［Ｃ２２］  
前記表示するステップにおいて、前記第２画素が保護の対象となる画素である場合、前記第２画素の輝度を増加させる量を低減させる［Ｃ１３］記載の表示方法。  
［Ｃ２３］  
前記表示するステップは、前記第２画素の保護の対象となる画素である場合、前記第２画素を変更する［Ｃ１３］記載の表示方法。  
［Ｃ２４］  
前記表示するステップにおいて、前記保護の対象となる画素である第１画素が連続して複数配置されている場合、当該複数の第１画素の一部の輝度を低下させ、当該複数の第１画素の一部の周辺に配置されている第２画素の輝度を増加させて前記画像を表示し、  
前記輝度を低下させる前記複数の第１画素の一部は、前記表示パネルに表示される画像毎に変更される  
［Ｃ１３］記載の表示方法。
【０１９４】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。  
【符号の説明】
【０１９５】
１…表示装置、２…表示パネル、３…第１回路基板、４…第２回路基板、５…パネルドライバ（表示制御部）、２１…発光素子、ＰＸ…画素、ＳＲ…副画素（第１副画素）、ＳＧ…副画素（第２副画素）、ＳＢ…副画素（第３副画素）。
【図１】
2020030311.tif 000003
【図２】
2020030311.tif 000004
【図３】
2020030311.tif 000005
【図４】
2020030311.tif 000006
【図５】
2020030311.tif 000007
【図６】
2020030311.tif 000008
【図７】
2020030311.tif 000009
【図８】
2020030311.tif 000010
【図９】
2020030311.tif 000011
【図１０】
2020030311.tif 000012
【図１１】
2020030311.tif 000013
【図１２】
2020030311.tif 000014